(57)【要約】  【課題】  設置箇所に応じてサイズを自在に変更し、直接視認困難な場所の効果的な照明を行うことができるＬＥＤ照明装置を提供する。【解決手段】  ベース２ＡにＬＥＤ発光素子３が列設され、このＬＥＤ発光素子３に接続されたオスコネクタ４Ａが前記ベース２Ａの一端２ｃに設けられる一方、前記ＬＥＤ発光素子３に接続されたメスコネクタ５Ａが前記ベース２Ａの他端２ｄに設けられ、当該ベース２Ａのオスコネクタ４Ａと他のベース２Ａのメスコネクタ５Ａとが差込み接続されて相互に連結可能なＬＥＤ照明ユニット１１を、直接視認困難な場所に配設してなる。【選択図】      図６
2009099363.tif 000002
【特許請求の範囲】
【請求項１】
ベースにＬＥＤ発光素子が列設され、このＬＥＤ発光素子に接続されたオスコネクタが前記ベースの一端に設けられる一方、前記ＬＥＤ発光素子に接続されたメスコネクタが前記ベースの他端に設けられ、当該ベースのオスコネクタと他のベースのメスコネクタとが差込み接続されて相互に連結可能なＬＥＤ照明ユニットを、直接視認困難な場所に配設してなるＬＥＤ照明装置。
【請求項２】
前記ＬＥＤ照明ユニットが、前記ベースの長さ方向に連結されてなることを特徴とする請求項１に記載のＬＥＤ照明装置。
【請求項３】
前記ＬＥＤ照明ユニットが、前記ベースの幅方向に連結されてなることを特徴とする請求項１に記載のＬＥＤ照明装置。
【請求項４】
前記直接視認困難な場所が、建物の天井面から垂下する垂下部の下端に設けられ、壁面側に張出す張出部を有した下げ天井の上部側であり、前記ＬＥＤ発光素子を前記壁面側に向けて、前記ＬＥＤ照明ユニットを前記垂下部の内側壁に取付けてなることを特徴とする請求項１に記載のＬＥＤ照明装置。
【請求項５】
前記ＬＥＤ発光素子を前記天井面側に向けて、前記ＬＥＤ照明ユニットを前記張出部の上面に取付けてなることを特徴とする請求項１または４に記載のＬＥＤ照明装置。
【請求項６】
前記直接視認困難な場所が、建物の壁面から突出する突出部の先端に設けられ、前記壁面に沿って上下に延出する突出し壁の内側であり、前記ＬＥＤ発光素子を前記天井面および床面に向けて、前記ＬＥＤ照明ユニットを前記突出部の上面と下面とに取付けてなることを特徴とする請求項１に記載のＬＥＤ照明装置。
【請求項７】
前記ＬＥＤ発光素子を前記壁面側に向けて、前記ＬＥＤ照明ユニットを前記突出し壁の内側面に取付けてなることを特徴とする請求項１または６に記載のＬＥＤ照明装置。
【請求項８】
前記ＬＥＤ発光素子を前記突出し壁の内側面に向けて、前記ＬＥＤ照明ユニットを前記壁面に取付けてなることを特徴とする請求項１または６に記載のＬＥＤ照明装置。
【請求項９】
前記直接視認困難な場所が、建物の天井面から垂下した下げ天井と隣接壁面との間隙であり、前記ＬＥＤ発光素子を床面側に向けて、前記ＬＥＤ照明ユニットを前記間隙側の天井面に取付けてなることを特徴とする請求項１に記載のＬＥＤ照明装置。
【請求項１０】
前記直接視認困難な場所が、建物の壁面に形成した凹所の内奥であり、前記ＬＥＤ発光素子を前記凹所の開口側に向けて、前記ＬＥＤ照明ユニットを凹所の奥部に取付けてなることを特徴とする請求項１に記載のＬＥＤ照明装置。
【請求項１１】
前記ＬＥＤ発光素子を前記凹所の上面または下面側に向けて、前記ＬＥＤ照明ユニットを前記凹所の上面もしくは下面に取付けてなることを特徴とする請求項１または１０に記載のＬＥＤ照明装置。
【請求項１２】
前記直接視認困難な場所が、床に形成した凹所の内奥であり、前記ＬＥＤ発光素子を前記凹所の開口側に向けて、前記ＬＥＤ照明ユニットを前記凹所の奥部に取付けてなることを特徴とする請求項１に記載のＬＥＤ照明装置。
【請求項１３】
前記ＬＥＤ発光素子を前記凹所の一側面に向けて、前記ＬＥＤ照明ユニットを前記凹所の他側面に取付けてなることを特徴とする請求項１または１２に記載のＬＥＤ照明装置。
【請求項１４】
前記直接視認困難な場所が、階段の蹴込み板の端縁から外方に先端部を延出させた踏み板の下部側であり、前記ＬＥＤ発光素子を下段の踏み板側に向けて、前記ＬＥＤ照明ユニットを前記先端部の下面に取付けてなることを特徴とする請求項１に記載のＬＥＤ照明装置。
【請求項１５】
前記ＬＥＤ発光素子を前記踏み板の延出方向に向けて、前記ＬＥＤ照明ユニットを前記蹴込み板に取付けてなることを特徴とする請求項１または１４に記載のＬＥＤ照明装置。
【請求項１６】
前記直接視認困難な場所が、棚を構成する複数段の棚板の下部側であり、前記ＬＥＤ発光素子を下段の棚板側に向けて、前記ＬＥＤ照明ユニットを前記棚板の下面に取付けてなることを特徴とする請求項１に記載のＬＥＤ照明装置。
【請求項１７】
前記棚板の先端側に支持部材を垂設し、前記ＬＥＤ発光素子を前記棚板の基端側に向けて、前記ＬＥＤ照明ユニットを前記支持部材の内側面に取付けてなることを特徴とする請求項１または１６に記載のＬＥＤ照明装置。
【発明の詳細な説明】
【技術分野】
【０００１】
本発明は、ＬＥＤ発光素子を複数個用いるＬＥＤ照明装置に係り、特に、設置箇所に応じて自在にユニットを連結し、取付け容易なＬＥＤ照明装置に関する。
【背景技術】
【０００２】
ＬＥＤ発光素子を用いたＬＥＤ照明装置は、用途に応じて各種提供されているが、ベースに複数個のＬＥＤ発光素子を配設したタイプが広く普及している。
【０００３】
この種のＬＥＤ照明装置は、ベースに所望の照度を得るためのＬＥＤ発光素子を複数個配列し、これらを直列または並列に接続している。
そして、この回路の入力端子にコードやスイッチを介して電源部が接続されるようになっている。
これにより、スイッチをオンにすると、ＬＥＤ照明装置に電源電圧が供給されて、ＬＥＤ発光素子が点灯する。
【発明の開示】
【発明が解決しようとする課題】
【０００４】
ところで、この種のＬＥＤ照明装置は、通常、メーカーの規格品が提供されており、サイズが定型となっている。このため、設置場所によっては所望の照明装置を取付けられないという難点があった。
例えば、下げ天井の上部側や突出し壁の内側等は、直接視認困難な場所であり、間接照明を採用するケースが多いが、このような場所に所望の照度のＬＥＤ照明装置を設置するのは難しいという問題が残されていた。
【０００５】
本発明は、上記課題に鑑みてなされたもので、設置箇所に応じてサイズを自在に変更し、直接視認困難な場所の効果的な照明を行うことができるＬＥＤ照明装置を提供することを目的としている。
【課題を解決するための手段】
【０００６】
上記目的を達成するため、本発明によるＬＥＤ照明装置は、ベースにＬＥＤ発光素子が列設され、このＬＥＤ発光素子に接続されたオスコネクタが前記ベースの一端に設けられる一方、前記ＬＥＤ発光素子に接続されたメスコネクタが前記ベースの他端に設けられ、当該ベースのオスコネクタと他のベースのメスコネクタとが差込み接続されて相互に連結可能なＬＥＤ照明ユニットを、直接視認困難な場所に配設してなることを特徴としている。
【０００７】
また、前記ＬＥＤ照明ユニットが、前記ベースの長さ方向に連結されてなることを特徴としている。
また、前記ＬＥＤ照明ユニットが、前記ベースの幅方向に連結されてなることを特徴としている。
【０００８】
また、前記直接視認困難な場所が、建物の天井面から垂下する垂下部の下端に設けられ、壁面側に張出す張出部を有した下げ天井の上部側であり、前記ＬＥＤ発光素子を前記壁面側に向けて、前記ＬＥＤ照明ユニットを前記垂下部の内側壁に取付けてなることを特徴としている。
また、前記ＬＥＤ発光素子を前記天井面側に向けて、前記ＬＥＤ照明ユニットを前記張出部の上面に取付けてなることを特徴としている。
【０００９】
また、前記直接視認困難な場所が、建物の壁面から突出する突出部の先端に設けられ、前記壁面に沿って上下に延出する突出し壁の内側であり、前記ＬＥＤ発光素子を前記天井面および床面に向けて、前記ＬＥＤ照明ユニットを前記突出部の上面と下面とに取付けてなることを特徴としている。
また、前記ＬＥＤ発光素子を前記壁面側に向けて、前記ＬＥＤ照明ユニットを前記突出し壁の内側面に取付けてなることを特徴としている。
また、前記ＬＥＤ発光素子を前記突出し壁の内側面に向けて、前記ＬＥＤ照明ユニットを前記壁面に取付けてなることを特徴としている。
【００１０】
また、前記直接視認困難な場所が、建物の天井面から垂下した下げ天井と隣接壁面との間隙であり、前記ＬＥＤ発光素子を床面側に向けて、前記ＬＥＤ照明ユニットを前記間隙側の天井面に取付けてなることを特徴としている。
また、前記直接視認困難な場所が、建物の壁面に形成した凹所の内奥であり、前記ＬＥＤ発光素子を前記凹所の開口側に向けて、前記ＬＥＤ照明ユニットを凹所の奥部に取付けてなることを特徴としている。
また、前記ＬＥＤ発光素子を前記凹所の上面または下面側に向けて、前記ＬＥＤ照明ユニットを前記凹所の上面もしくは下面に取付けてなることを特徴としている。
【００１１】
また、前記直接視認困難な場所が、床に形成した凹所の内奥であり、前記ＬＥＤ発光素子を前記凹所の開口側に向けて、前記ＬＥＤ照明ユニットを前記凹所の奥部に取付けてなることを特徴としている。
また、前記ＬＥＤ発光素子を前記凹所の一側面に向けて、前記ＬＥＤ照明ユニットを前記凹所の他側面に取付けてなることを特徴としている。
【００１２】
また、前記直接視認困難な場所が、階段の蹴込み板の端縁から外方に先端部を延出させた踏み板の下部側であり、前記ＬＥＤ発光素子を下段の踏み板側に向けて、前記ＬＥＤ照明ユニットを前記先端部の下面に取付けてなることを特徴としている。
また、前記ＬＥＤ発光素子を前記踏み板の延出方向に向けて、前記ＬＥＤ照明ユニットを前記蹴込み板に取付けてなることを特徴としている。
【００１３】
また、前記直接視認困難な場所が、棚を構成する複数段の棚板の下部側であり、前記ＬＥＤ発光素子を下段の棚板側に向けて、前記ＬＥＤ照明ユニットを前記棚板の下面に取付けてなることを特徴としている。
また、前記棚板の先端側に支持部材を垂設し、前記ＬＥＤ発光素子を前記棚板の基端側に向けて、前記ＬＥＤ照明ユニットを前記支持部材の内側面に取付けてなることを特徴としている。
【発明の効果】
【００１４】
以上説明したように、本発明によるＬＥＤ照明装置は、ベースにＬＥＤ発光素子を列設したＬＥＤ照明ユニットを多様に連結可能であるから、設置箇所に応じた最適なサイズのＬＥＤ照明装置を簡便に取付けることができる。
また、このＬＥＤ照明装置を直接視認困難な場所に配設するので、光源が直接人の目に触れることなく、ソフトな放光の間接照明を提供することができる効果がある。
【００１５】
また、前記ＬＥＤ照明ユニットが、前記ベースの長さ方向に連結されることから、細長い箇所に合わせて設置することができる。
また、前記ＬＥＤ照明ユニットが、前記ベースの幅方向に連結されることから、幅広い箇所に合わせて設置することができる。
【００１６】
また、前記直接視認困難な場所が、下げ天井の上部側であり、ＬＥＤ発光素子を壁面側に向けて、ＬＥＤ照明ユニットを垂下部の内側壁に取付けるため、光源が直接人の目に触れることなく、下げ天井の上部側と壁面との間がソフトに光る間接照明となる。
また、前記ＬＥＤ発光素子を天井面側に向けて、ＬＥＤ照明ユニットを下げ天井の張出部の上面に取付けるため、下げ天井の上部側と天井とがソフトに光る間接照明となる。
【００１７】
また、前記直接視認困難な場所が、建物の壁面から突出した突出し壁の内側であり、ＬＥＤ発光素子を天井面および床面に向けて、ＬＥＤ照明ユニットを突出し壁の突出部の上面と下面とに取付けるため、突出し壁の内側から壁面の上方および下方に向かいソフトに光る間接照明となる。
また、前記ＬＥＤ発光素子を壁面側に向けて、ＬＥＤ照明ユニットを突出し壁の内側面に取付けるため、突出し壁の内側から壁面に向かいソフトに光る間接照明となる。
また、前記ＬＥＤ発光素子を突出し壁の内側面に向けて、ＬＥＤ照明ユニットを壁面に取付けるため、壁面側から突出し壁の内側に向かいソフトに光る間接照明となる。
【００１８】
また、前記直接視認困難な場所が、建物の天井面から垂下した下げ天井と隣接壁面との間隙であり、ＬＥＤ発光素子を床面側に向けて、ＬＥＤ照明ユニットを間隙側の天井面に取付けるため、天井側から壁面に沿って床面側へソフトに光る間接照明となる。
また、前記直接視認困難な場所が、建物の壁面に形成した凹所の内奥であり、ＬＥＤ発光素子を凹所の開口側に向けて、ＥＤ照明ユニットを凹所の奥部に取付けるため、壁面の凹所の内奥がソフトに光る間接照明となる。
また、前記ＬＥＤ発光素子を凹所の上面または下面側に向けて、ＬＥＤ照明ユニットを凹所の上面もしくは下面に取付けてなることから、凹所の内奥における上部あるいは下部がソフトに光る間接照明となる。
【００１９】
また、前記直接視認困難な場所が、床に形成した凹所の内奥であり、ＬＥＤ発光素子を凹所の開口側に向けて、ＬＥＤ照明ユニットを凹所の奥部に取付けるため、床の凹所の内奥がソフトに光る間接照明となる。
また、前記ＬＥＤ発光素子を床の凹所の一側面に向けて、ＬＥＤ照明ユニットを凹所の他側面に取付けるため、凹所の内奥における一側部あるいは他側部がソフトに光る間接照明となる。
【００２０】
また、前記直接視認困難な場所が、階段の蹴込み板の端縁から外方に先端部を延出させた踏み板の下部側であり、ＬＥＤ発光素子を下段の踏み板側に向けて、ＬＥＤ照明ユニットを先端部の下面に取付けるため、階段の踏み板の下部側および蹴込み板側がソフトに光る照明装置となる。
また、前記ＬＥＤ発光素子を踏み板の延出方向に向けて、ＬＥＤ照明ユニットを蹴込み板に取付けるため、階段の踏み板の下部側がソフトに光る照明装置となる。
【００２１】
また、前記直接視認困難な場所が、棚を構成する複数段の棚板の下部側であり、ＬＥＤ発光素子を下段の棚板側に向けて、ＬＥＤ照明ユニットを棚板の下面に取付けるため、棚板全体を照らし出せる照明装置となる。
また、前記棚板の先端側に支持部材を垂設し、ＬＥＤ発光素子を棚板の基端側に向けて、ＬＥＤ照明ユニットを支持部材の内側面に取付けるため、棚の奥部まで照らし出せる照明装置となる。
【発明を実施するための最良の形態】
【００２２】
以下、本発明に係るＬＥＤ照明装置の実施形態について、図面を参照しながら詳述する。
図１は、本発明の第１実施形態であるＬＥＤ照明装置のＬＥＤ照明ユニットを示す平面図、図２は、同側面図である。
本実施形態のＬＥＤ照明ユニット１は、ベース２に複数個のＬＥＤ発光素子（以下、ＬＥＤと称す）３を列設し、オスコネクタ４とメスコネクタ５とを備えて構成されている。
【００２３】
ベース２は、細長の薄板状で、アルミニウムや硬質樹脂材により形成されている。このベース２は、上下面２ａ，２ｂが偏平となっており、下面２ｂに両面テープや接着材を用い建築物の各所へ簡便に固着可能にしている。
なお、複数本のＬＥＤ照明ユニット１を連結して取付ける場合は、ベース２にネジ挿通孔を形成しネジを用いて固着してもよい。
また、このベース２は、上面２ａにプリント基板６を一体化しており、この基板６の長さ方向に沿って左右一対の配線パターンを設けている。
【００２４】
ＬＥＤ３は、発光ダイオードであって、本例では１１個を用いており、各ＬＥＤ３のアノードとカソードとを配線パターンに接続している（図７参照）。
そして、各ＬＥＤ３の近傍には、抵抗器７および電流制限用のチップ８を各１対実装している。
なお、この電流制限用のチップ８を省略し、図３、図４に示す如く抵抗器７のみを実装する構成としてもよい。
【００２５】
オスコネクタ４は、１対の差込み端子４ａを備えており、これらが前記ベース２の一端２ｃから突出するように固着されている。そして、これら差込み端子４ａは、前記配線パターンの両端部に接続している。
また、メスコネクタ５は、ベース２の他端２ｄに固着されており、１対の被差込み端子を前記配線パターンの両端部に接続している。
なお、オスコネクタ４の近傍に、連結ピンを設ける一方、メスコネクタ５の近傍には、図示されない連結ジャックを設けている。
そして、この連結ジャックに他のベース２の連結ピンを差込むと、このＬＥＤ照明ユニット１を相互に連結することができる。
【００２６】
図５は、本発明の第２実施形態であるＬＥＤ照明装置のＬＥＤ照明ユニットを示す展開斜視図、図６は、同ＬＥＤ照明ユニットを連結したＬＥＤ照明装置を示す斜視図である。
このＬＥＤ照明ユニット１１は、上記第１実施形態と基本的構成が略同一であり、同一部分の詳細説明は省略し、異なる部分のみ説明する。
このＬＥＤ照明ユニット１１は、ベース２の上面２ａにＬＥＤ３を８個列設している。そして、オスコネクタ４Ａとメスコネクタ５Ａとがソケット差込み方式になっている。
【００２７】
このＬＥＤ照明ユニット１１は、長さ方向に並べて連結することができる。
この際は、第１番目のＬＥＤ照明ユニット１１のオスコネクタ４Ａを第２のＬＥＤ照明ユニット１１のメスコネクタ５Ａに差込む。また、第２番目のＬＥＤ照明ユニット１１のオスコネクタ４Ａを第３番目のＬＥＤ照明ユニット１１のメスコネクタ５Ａに差込む。
すると、３個のＬＥＤ照明ユニット１１が、図６に示す如く連結され、各ユニット１１のオスコネクタ４Ａとメスコネクタ５Ａとが電気的に接続され（図８参照）、かつベース２Ａ相互が強固に保持される。
【００２８】
なお、このＬＥＤ照明ユニット１１は、図７に示すように、オスコネクタ４Ａ側の端子４ａにリード線の一端が接続される。このリード線の中途には、スイッチＳを設けており、他端を交流商用電源に接続するようになっている。
そして、このスイッチＳをオンにすると、交流商用電源からの電圧がオスコネクタ４Ａの端子４ａおよびメスコネクタ５Ａの端子５ａに供給されるので、各ＬＥＤ３が同時に点灯する。
【００２９】
このように構成されたＬＥＤ照明ユニット１１は、設置場所に応じて複数個を連結することにより、最適なサイズに変更できるので、組み立てや取付け作業が容易である。
よって、ユーザー所望の形態とし、最適な照度に設定可能なうえ、作業性にも優れたＬＥＤ照明装置を提供することができる。
【００３０】
図９は、本発明の第３実施形態であるＬＥＤ照明装置のＬＥＤ照明ユニットを示す斜視図である。
このＬＥＤ照明ユニットは、基本的構成が第２実施形態と略同一であり、詳細な説明は省略する。
【００３１】
すなわち、このＬＥＤ照明ユニット１２は、幅広に形成されたベース２Ｂの基板上に、２個１組のＬＥＤ３を８列実装している。
これらＬＥＤ３は、図１０に示すように、直列接続した２個を並列に接続している。
これにより、図５に示したＬＥＤ照明ユニットの２倍のＬＥＤ３を備えたＬＥＤ照明ユニット１２が形成される。
【００３２】
このＬＥＤ照明ユニット１２は、図９に示す如く長さ方向に並べておき、第１番目のＬＥＤ照明ユニット２Ｂのオスコネクタ４Ｂを第２番目のＬＥＤ照明ユニット１２のメスコネクタ５Ｂに差込む。
また、第２番目のＬＥＤ照明ユニット１２のオスコネクタ４Ｂを第３番目のＬＥＤ照明ユニット１２のメスコネクタ５Ｂに差込む。
すると、３個のＬＥＤ照明ユニット１２が連結され、各ユニット１２のオスコネクタ４Ｂとメスコネクタ５Ｂとが電気的に接続されるとともに、ベース２Ｂ相互が強固に保持される。
【００３３】
図１１は、本発明の第４実施形態であるＬＥＤ照明装置のＬＥＤ照明ユニットを示す斜視図である。
このＬＥＤ照明ユニット１３は、基本的構成が第１実施形態と略同一であり、詳細な説明は省略する。
【００３４】
すなわち、このＬＥＤ照明ユニット１３は、細幅に形成されたベース２Ｃの基板上に、ＬＥＤ３を８列実装している。
そして、ベース２Ｃの一端側２ｃの一側部２ｅにオスコネクタ５Ｃを設ける一方、他側部にメスコネクタを設けている（図示省略）。
【００３５】
このＬＥＤ照明ユニット１３は、図１２に示すように、幅方向に並べておき、第１番目のＬＥＤ照明ユニット１３のオスコネクタ５Cを第２番目のＬＥＤ照明ユニット１３のメスコネクタに差込む。
また、第２番目のＬＥＤ照明ユニット１３のオスコネクタ５Cを第３番目のＬＥＤ照明ユニット１３のメスコネクタに差込む。
すると、３個のＬＥＤ照明ユニット１３が連結され、各ユニット１３のオスコネクタ５Cとメスコネクタとが電気的に接続されるとともに、ベース２C相互が強固に保持される。
【００３６】
次に、上記ＬＥＤ照明装置を直接視認困難な場所に設置する例について、図を参照しつつ説明する。
図１３は、下げ天井の設置例を示す側面図である。
この下げ天井１７は、建物の天井面１６ａから垂下させた垂下部１８の下端に、壁１５の壁面１５ａ側へ張出す張出部１９を一体形成している。
この張出部１９により下げ天井１７の上部側、つまり天井１６付近が直接視認困難な場所となるため、この天井側にＬＥＤ照明装置を設置する。
【００３７】
この際は、照度を考慮したうえ、天井面１６ａの幅と長さに適したＬＥＤ照明ユニットを選択し、必要個数を連結する。
ここでは、ＬＥＤ３を１列設けたタイプ１とし、そのＬＥＤ３を壁面１５側に向けて、当該ＬＥＤ照明装置を垂下部１８の内側面１８ａに取付ける。
そして、このＬＥＤ照明装置を点灯させると、光源が直接人の目に触れず、下げ天井１７の上部側と壁面１５ａとの間がソフトに光るため、天井１６の間接照明となる。
【００３８】
図１４は、上記下げ天井の他の設置例を示す側面図である。
この例は、前記ＬＥＤ照明装置のＬＥＤ３を天井面１６ａ側に向けて、ＬＥＤ照明ユニット１を下げ天井１７の張出部１９の上面１９ａに取付けている。
これにより、下げ天井１７の上部側と天井１６とがソフトに光る間接照明となる。
【００３９】
図１５は、他の下げ天井の設置例を示す側面図である。
この下げ天井２０は、建物の天井面１６ａから直線状に垂下したもので、隣接壁面１５ａとの間に小間隙が生じている。
この例は、前記ＬＥＤ照明装置のＬＥＤ３を床面に向けて、ＬＥＤ照明ユニット１を天井面１６ａに取付けている。
これにより、天井１６から壁面１５ａに沿って床側に向かいソフトに光る間接照明となる。
なお、図１６に示すように、下げ天井２０の下端２０ａと壁面１５ａとの間にガラス２１を装着すると、天井１６からの光をよりソフトにできる。
【００４０】
図１７は、突出し壁の設置例を示す側面図である。
この突出し壁２２は、建物の壁面１５ａから突出させた突出部２３の先端に垂直部２４が一体形成され、壁面１５ａに沿って上下に延出している。
この突出し壁２２により垂直部２４の裏面２４ａ側が直接視認困難な場所となるため、前記突出部２３の上下部にＬＥＤ照明装置を設置する。
【００４１】
ここでも、ＬＥＤ３を１列設けたタイプ１を用い、そのＬＥＤ３を天井面および床面に向けて、当該ＬＥＤ照明装置を突出部２３の上面２３ａと下面２３ｂとに取付ける。
そして、このＬＥＤ照明装置を点灯させると、光源が直接人の目に触れず、突出し壁２２の内側から壁面１５ａの上方および下方に向かいソフトに光るため、壁１５側の間接照明となる。
なお、図１８に示す如く垂直部２４の上下端２４ｂ，２４ｃと壁面１５ａとの間に、ガラス２５をそれぞれ装着してもよい。この結果、突出し壁２２の内側から壁面１５ａの上方および下方に向かう光がよりソフトになる。
【００４２】
図１９は、突出し壁の他の設置例を示す側面図である。
この例は、前記ＬＥＤ照明装置のＬＥＤ３を壁面１５ａ側に向けて、ＬＥＤ照明ユニット１を垂直部２４の裏面２４ａ側における上下に取付けている。
これにより、突出し壁２２の内側から壁面１５ａに向かいソフトに光る間接照明となる。
【００４３】
図２０は、さらに他の設置例を示す側面図である。
この例は、前記ＬＥＤ照明装置のＬＥＤ３を垂直部２４の裏面２４ａ側に向けて、ＬＥＤ照明ユニット１を壁面１５ａの上下に取付けている。
これにより、壁面１５ａから突出し壁２２の内側に向かいソフトに光る間接照明となる。
【００４４】
図２１は、壁面の設置例を示す側面図である。
この壁面１５は、上部側と下部側とに断面略矩形の凹所２６を形成している。この凹所２６は、内部が直接視認困難な場所となるため、その奥部にＬＥＤ照明装置１を設置する。
ここでは、ＬＥＤ３を凹所２６の開口側に向けて、ＬＥＤ照明ユニット１を奥部の内側面２６ａに取付ける。そして、各凹所２６の開口側に、ガラス２７をそれぞれ装着している。
これにより、凹所２６の内奥から開口側に向かいソフトに光る照明となる。
【００４５】
なお、図２２に示すように、ＬＥＤ３を凹所２６の上面２６ｂ側に向けて、ＬＥＤ照明ユニット１を凹所２６の下面２６ｃ側に取付けてもよい。
また、図２３に示すように、ＬＥＤ３を凹所２６の下面２６ｃ側に向けて、ＬＥＤ照明ユニット１を凹所２６の上面２６ｂ側に取付けてもよい。これにより、凹所２６内でソフトに光る照明となる。
【００４６】
図２４は、床の設置例を示す側面図である。
この床２８は、床面２８ａから略矩形状に掘り下げて凹所２９を２箇所形成している。この凹所２９は、内部が直接視認困難な場所となるため、その奥部にＬＥＤ照明装置１を設置する。
ここでは、ＬＥＤ３を凹所２９の開口側に向けて、ＬＥＤ照明ユニット１を奥部の底面２９ａに取付ける。そして、各開口には、ガラス３０をそれぞれ装着している。
これにより、凹所２９の内奥から開口側に向かいソフトに光る照明となる。
【００４７】
なお、図２５に示すように、ＬＥＤ３を凹所２９の他側面２９ｃに向けて、ＬＥＤ照明ユニット１を一側面２９ｂに取付けてもよい。
また、図２６に示すように、ＬＥＤ３を凹所２９の一側面２９ｂに向けて、ＬＥＤ照明ユニット１を他側面２９ｃに取付けてもよい。そして、各開口には、ガラスを３０それぞれ装着する。
これにより、何れも凹所２８の内奥から開口側に向かいソフトに光る照明となる。
【００４８】
図２７は、階段の設置例を示す側面図である。
この階段３１は、踏み板３２の先端部３２ａを蹴込み板３３の端縁３３ａから外方に延出させている。この先端部３２ａにより踏み板３２の下部側が直接視認困難な場所となるため、その下部側にＬＥＤ照明装置を設置する。
ここでは、ＬＥＤ３を下段の踏み板３２側に向けて、ＬＥＤ照明ユニット１を先端部３２ａの下面３２ｂに取付ける。
これにより、階段３１の踏み板３２の下部側および蹴込み板３３側がソフトに光る照明となる。
【００４９】
図２８は、階段の他の設置例を示す側面図である。
この例は、前記ＬＥＤ照明装置のＬＥＤ３を踏み板３２の延出方向に向けて、ＬＥＤ照明ユニット１を蹴込み板３３に取付けている。
そして、踏み板３２の下面３２ｂと下段の蹴込み板３２との間に、ガラス３４をそれぞれ装着している。これにより、蹴込み板３２側がソフトに光る照明となる。
【００５０】
図２９は、棚の設置例を示す側面図である。
この棚３５は、本体３６の上下方向に複数段の棚板３７を固着している。この棚板３７により下部側が直接視認困難な場所となるため、その下部側にＬＥＤ照明装置を設置する。
ここでは、ＬＥＤ３を下段の棚板３７側に向けて、ＬＥＤ照明ユニット１を棚板３７の下面３７ａに取付ける。
これにより、それぞれの棚板３７全体を照らし出せる照明となる。
【００５１】
図３０は、棚の他の設置例を示す側面図である。
この例は、前記棚板３７の先端３７ｂ側に支持部材３８を垂設している。そして、ＬＥＤ３を棚板３７の基端３７ｃ側に向けて、ＬＥＤ照明ユニット１を支持部材３８の内側面３８ａに取付けている。
これにより、棚３６の奥部まで照らし出せる照明となる。
なお、本発明は上記の実施形態に限定されず、本発明の趣旨を逸脱しない範囲で、種々の変更が可能である。
【図面の簡単な説明】
【００５２】
【図１】本発明の第１実施形態であるＬＥＤ照明装置のＬＥＤ照明ユニットを示す平面図である。
【図２】同側面面図である。
【図３】同ＬＥＤユニットの変形例を示す平面図である。
【図４】同側面面図である。
【図５】本発明の第２実施形態であるＬＥＤ照明装置のＬＥＤ照明ユニットを示す展開斜視図である。
【図６】同ＬＥＤ照明ユニットを連結したＬＥＤ照明装置を示す斜視図である。
【図７】同ＬＥＤ照明ユニットを示す電気回路図である。
【図８】同ＬＥＤ照明装置を示す電気回路図である。
【図９】本発明の第３実施形態であるＬＥＤ照明装置のＬＥＤ照明ユニットを示す展開斜視図である。
【図１０】同ＬＥＤ照明ユニットを示す電気回路図である。
【図１１】本発明の第４実施形態であるＬＥＤ照明装置のＬＥＤ照明ユニットを示す展開斜視図である。
【図１２】同ＬＥＤ照明ユニットを連結したＬＥＤ照明装置を示す斜視図である。
【図１３】ＬＥＤ照明装置の下げ天井の設置例を示す側面図である。
【図１４】同下げ天井の他の設置例を示す側面図である。
【図１５】他の下げ天井の設置例を示す側面図である。
【図１６】同他の下げ天井の変形例を示す側面図である。
【図１７】ＬＥＤ照明装置の突出し壁の設置例を示す側面図である。
【図１８】同突出し壁の変形例を示す側面図である。
【図１９】同突出し壁の他の設置例を示す側面図である。
【図２０】同突出し壁のさらに他の設置例を示す側面図である。
【図２１】壁面の設置例を示す側面図である。
【図２２】壁面の他の設置例を示す側面図である。
【図２３】壁面のさらに他の設置例を示す側面図である。
【図２４】床面の設置例を示す側面図である。
【図２５】床面の他の設置例を示す側面図である。
【図２６】床面のさらに他の設置例を示す側面図である。
【図２７】階段の設置例を示す側面図である。
【図２８】階段の他の設置例を示す側面図である。
【図２９】棚の設置例を示す側面図である。
【図３０】棚の他の設置例を示す側面図である。
【符号の説明】
【００５３】
２Ａ    ベース
２ｃ    一端
２ｄ    他端
３      ＬＥＤ発光素子
３      可動部
４Ａ    オスコネクタ
５Ａ    メスコネクタ
１１    ＬＥＤ照明ユニット
【図１】
2009099363.tif 000003
【図２】
2009099363.tif 000004
【図３】
2009099363.tif 000005
【図４】
2009099363.tif 000006
【図５】
2009099363.tif 000007
【図６】
2009099363.tif 000008
【図７】
2009099363.tif 000009
【図８】
2009099363.tif 000010
【図９】
2009099363.tif 000011
【図１０】
2009099363.tif 000012
【図１１】
2009099363.tif 000013
【図１２】
2009099363.tif 000014
【図１３】
2009099363.tif 000015
【図１４】
2009099363.tif 000016
【図１５】
2009099363.tif 000017
【図１６】
2009099363.tif 000018
【図１７】
2009099363.tif 000019
【図１８】
2009099363.tif 000020
【図１９】
2009099363.tif 000021
【図２０】
2009099363.tif 000022
【図２１】
2009099363.tif 000023
【図２２】
2009099363.tif 000024
【図２３】
2009099363.tif 000025
【図２４】
2009099363.tif 000026
【図２５】
2009099363.tif 000027
【図２６】
2009099363.tif 000028
【図２７】
2009099363.tif 000029
【図２８】
2009099363.tif 000030
【図２９】
2009099363.tif 000031
【図３０】
2009099363.tif 000032